(57)【特許請求の範囲】
【請求項１】
連続鋳造機におけるモールド内湯面レベルを計測し、湯面目標値として予め設定された湯面設定値と前記計測値との偏差に基づいてモールドの振動基準位置を変更し、該振動基準位置が湯面変動に追従するようにしたことを特徴とするモールド湯面レベル制御方法。
【請求項２】
前記計測値の設定値に対する偏差に基づいてスライディングノズルの開度を調節し前記湯面レベルを制御することを特徴とする請求項１記載のモールド湯面レベル制御方法。
【請求項３】
連続鋳造機におけるモールドの振動を制御するモールド振動制御器と、モールド内湯面レベルを計測する湯面レベル計とを有し、
前記モールド振動制御器は、前記湯面レベル計の計測値を入力して、該入力値に基づいて前記モールドの振動基準位置を調整することを特徴とするモールド湯面レベル制御装置。
【請求項４】
前記湯面レベル計の計測値を入力して、スライディングノズルの開度を調節するスライディングノズル開度調整装置を備えたことを特徴とする請求項３記載のモールド湯面レベル制御装置。
【請求項５】
請求項３又は請求項４に記載のモールド湯面レベル制御装置を備えてなることを特徴とする連続鋳造機。
【発明の詳細な説明】
【技術分野】
【０００１】
本発明は、連続鋳造機のモールド湯面制御方法及び装置、該装置を備えた連続鋳造機に関するものである。
【背景技術】
【０００２】
鋳型（モールド）内の湯面高さ（レベル）が大きく変動すると、モールドに接して凝固中の鋼に、溶鋼面上のパウダ等の不純物が巻き込まれる。不純物が巻き込まれると、鋼片表面に欠陥や傷を生じ、圧延時に銅板傷として露出することになり、品質や歩留まりに大きな影響を及ぼす。したがって、モールド内の湯面変動を抑制することが求められている。
【０００３】
このようなモールド内の湯面レベルを制御するものとして、例えば特許文献１に開示された「連続鋳造機モールド内湯面レベル制御方法」がある。
特許文献１に開示された「連続鋳造機モールド内湯面レベル制御方法」は、「連続鋳造機モールド内湯面レベルを計測し、該計測値の設定値に対する偏差をフィードバック制御器に入力し、該フィードバック制御器の制御出力によりアクチュエータを操作し、該アクチュエータの駆動出力によりタンディッシュに設けられ溶鋼給湯を行うスライディングノズルの開度を調節し、前記湯面レベルを制御する方法において、前記湯面レベル計測値の設定値に対する偏差から湯面レベル変動を生じる周期性外乱を推定し、該推定した周期性外乱による湯面レベル変動を打ち消す適応制御操作量を演算する推定・演算工程と、前記演算された適応制御操作量を、前記スライディングノズル開度変更のフィードフォワード量として、前記フィードバック制御器の制御出力に加算して前記アクチュエータを操作する操作工程とを有することを特徴とする。」（特許文献１の請求項１参照）というものである。
【先行技術文献】
【特許文献】
【０００４】
【特許文献１】特開２０００−３２２１０６号公報
【発明の概要】
【発明が解決しようとする課題】
【０００５】
従来提案されているモールド内湯面制御は、タンディッシュに設けられたスライディングノズルの開度を調整し、モールドに供給される湯量を調整することにより湯面レベルを一定に保つというものである。
このようなスライディングノズルの開度調整による制御の基本はＰＩＤ制御であったが、外乱への応答性を高めるべく、上記特許文献１に代表されるように、種々の制御方式が提案されて、それなりの成果を得てきた。
しかしながら、外乱には、湯面波立ち、バルジング性湯面変動、スライディングノズルへの付着物によるスライディングノズル閉塞等に起因する湯面変動といった種々のものがある。
湯面波立ちとは、湯面の平均レベルは変わらないが、湯面の場所によって高さが変わる状態をいい、モールド振動によるもの（周波数：2〜3Hz）、浸漬ノズルの移動によって励起される定在波（周波数：0.6〜0.9Hz）がある。
バルジング性湯面変動、スライディングノズルへの付着物によるスライディングノズル閉塞等に起因する湯面変動は、湯面の平均レベルが変動するものであり、この意味で湯面波立ちとは異なっている。
バルジング性湯面変動は、凝固した薄い鋼の部分が、ロールの支持がない部分で、外側に膨らむ現象であるバルジングが周期的に発生することによって、湯面全体が上下動するものであり、その周波数は0.05〜0.15Hzである。
また、スライディングノズルへの付着物によるスライディングノズル閉塞等起因する湯面変動とは、例えばスライディングノズルが付着物によって閉塞することのよって、溶鋼のモールドへの供給量が減少することで湯面レベルが下がるような場合や、何らかの原因によって付着物がスライディングノズルから除去されることで、溶鋼の供給量が急激に増加して湯面レベルが急上昇するような場合である。
【０００６】
スライディングノズルの開度調整によって湯面レベルを一定に保つ制御が有効なのは、湯面の平均レベルが変動するような上記のバルジング性湯面変動、スライディングノズルへの付着物によるスライディングノズル閉塞等に起因する湯面変動に対してである。
しかし、湯面平均レベルが変動するような外乱の中にも、周期性を持つものもあれば、周期性を持たないものや周期が変化するものがあり、種々の制御理論をもってしてもスライディングノズルの開度調整のみでこれらの外乱を取り除くことはできず、モールド湯面を一定に保つということの根本的解決には至っていない。
【０００７】
本発明はかかる課題を解決するためになされたものであり、種々の外乱に対しても効果のあるモールド湯面制御方法及び装置、該装置を備えた連続鋳造機を提供することを目的としている。
【課題を解決するための手段】
【０００８】
上述したように、スライディングノズルの開度調整という方法のみでは種々の制御理論をもってしても外乱を取り除くことはできない。これは、スライディングノズルの開度調整の応答性が悪く種々の外乱に対応できないからである。
そこで、発明者は、モールド振動制御の応答速度が1Hz以上であり、スライディングノズルの応答速度に比べて圧倒的に速いことに着目し、モールド振動制御をモールド湯面制御に利用するという新たな方法を考えた。すなわち、モールドの振動基準位置（振動中心）を、変動する湯面レベルに追従させて、溶鋼とモールドの接触面（すなわち初期凝固位置）を一定に保たせることでスライディングノズルの開度調整のみでは対応できなかった外乱に対しても対応可能になるとの知見を得た。
つまり、従来は湯面レベル（地球上の固定点からの高さ）を一定にすることのみに着目していたものを「モールドと湯面との相対的レベル」を一定にするように発想転換したものである。
本発明はかかる新たな発想に基づいてなされたものであり、具体的には以下の構成からなるものである。
【０００９】
（１）本発明に係るモールド湯面レベル制御方法は、連続鋳造機におけるモールド内湯面レベルを計測し、湯面目標値として予め設定された湯面設定値と前記計測値との偏差に基づいてモールドの振動基準位置を変更し、該振動基準位置が湯面変動に追従するようにしたことを特徴とするものである。
なお、本明細書において、モールド湯面レベル制御とは、モールドの位置制御や湯面レベル（地球上の固定点からの高さ）を制御することでモールドと湯面との相対レベルを制御することを意味する。
【００１０】
（２）また、上記（１）に記載のものにおいて、前記計測値の設定値に対する偏差に基づいてスライディングノズルの開度を調節し前記湯面レベルを制御することを特徴とするものである。
【００１１】
（３）本発明に係るモールド湯面レベル制御装置は、連続鋳造機におけるモールドの振動を制御するモールド振動制御器と、モールド内湯面レベルを計測する湯面レベル計とを有し、
前記モールド振動制御器は、前記湯面レベル計の計測値を入力して、該入力値に基づいて前記モールドの振動基準位置を調整することを特徴とするものである。
【００１２】
（４）また、上記（３）に記載のものにおいて、前記湯面レベル計の計測値を入力して、スライディングノズルの開度を調節するスライディングノズル開度調整装置を備えたことを特徴とするものである。
【００１３】
（５）本発明に係る連続鋳造機は、上記（３）又は（４）に記載のモールド湯面レベル制御装置を備えてなることを特徴とするものである。
【発明の効果】
【００１４】
本発明に係るモールド湯面レベル制御方法は、連続鋳造機におけるモールド内湯面レベルを計測し、湯面目標値として予め設定された湯面設定値と前記計測値との偏差に基づいてモールドの振動基準位置を変更し、該振動基準位置が湯面変動に追従するようにしたので、溶鋼とモールドの接触面（すなわち初期凝固位置）を一定に保たせることができ、これによって湯面の絶対レベル変動を防止したのと同等の効果、すなわち湯面変動による溶鋼面上のパウダ等の不純物の巻き込みを防止し、鋼片表面への欠陥や傷の発生を防止することができる。
【図面の簡単な説明】
【００１５】
【図１】本発明の実施の形態に係るモールド湯面レベル制御装置の説明図である。
【図２】図１に記載のモールド湯面レベル制御装置のモールド振動制御器から出力されるモールド位置制御信号を表した図である。
【図３】モールド内のメニスカス近傍の溶鋼表面の状態を説明する説明図である（鉄鋼便覧４版より引用）。
【図４】モールドの高さ方向に沿った温度分布を示した図である（鉄鋼便覧４版より引用）。
【図５】図１に記載のモールド湯面レベル制御装置の制御方法を説明する説明図である。
【図６】本発明の効果を確認した実施例の結果示したグラフである。
【発明を実施するための形態】
【００１６】
本実施の形態に係るモールド湯面レベル制御方法及び装置の説明の前に、これらに関連する連続鋳造機を構成する主な装置を図１に基づいて説明する。
図１において、１はタンディッシュ、３はモールド、５はタンディッシュ内の溶鋼をモールドに注入する浸漬ノズル、７は浸漬ノズルとタンディッシュとの間に設けられて浸漬ノズルに供給する溶鋼量を調整するスライディングノズルである。
スライディングノズル７には、スライディングノズル７の開閉を行うスライディングノズル用油圧シリンダ１９が設けられている。スライディングノズル用油圧シリンダ１９は、湯面レベル計１６の計測値によって湯面レベル制御器１７が第２サーボ弁２１を制御することでその開度が調整される。
【００１７】
次に、本発明の一実施の形態に係るモールド湯面レベル制御装置を、図１に基づいて説明する。
本発明におけるモールド湯面レベル制御装置１０は、連続鋳造機におけるモールド３の振動を制御するモールド振動制御器１１と、モールド３内の湯面レベルを計測する湯面レベル計１６とを有し、モールド振動制御器１１に湯面レベル計１６の計測値を入力して、該入力値に基づいてモールド３の振動基準位置を調整することを特徴とするものである。
以下、本実施の形態の特徴であるモールド振動制御器の構成を詳細に説明する。
【００１８】
モールド振動制御器１１は連続鋳造機におけるモールド３の振動を制御する装置である。モールド振動制御器１１は、モールド位置制御用シリンダ９を駆動する第１サーボ弁１５を制御することで、モールド位置制御用シリンダ９の連続的な位置制御を高速に行う。
モールド振動制御器１１が上記の制御を行うために必要となるモールド３の実際の位置は、モールド位置レベル計１３によって取得され、モールド振動制御器１１にフィードバックされる。
【００１９】
モールド振動制御器１１には、基準位置を中心とした所定の振幅と周期を有する振動（オシレーション）のための基準波形信号と湯面レベル計１６の測定値と湯面設定値（目標値）との偏差が入力され、該偏差に基づいて前記基準位置を補正した合成制御信号を生成する。
図２にこの合成制御信号の一例を示す。図２の各グラフにおいては横軸が時間、縦軸が振幅を示している。図２（ａ）はオシレーションのための基準波形信号である。また、図２（ｂ）は湯面レベル計１６の測定値と湯面の設定値（目標値）との偏差であり、すなわちモールド３の振動基準位置を補正する基準位置補正信号である。そして、図２（ｃ）が基準波形信号と基準位置補正信号を合成した合成制御信号であり、この合成制御信号がモールド位置制御信号として第１サーボ弁１５に出力される。
モールド振動制御器１１が第１サーボ弁１５をモールド位置制御信号に基づいて制御することで、モールド３はその振動基準位置を湯面変動に追従して変更すると共にオシレーションするように位置制御される。
【００２０】
モールド振動制御器１１において合成制御信号を生成するためには、合成制御信号の設定置（（Set Variable）以下「ＳＶ値」という）を、湯面測定値と湯面設定値の偏差で修正した値とすればよい。この関係を式（１）に示す。
Ｙ＝ｆ（ｆｏ,ｔ）＋ΔＨ      ・・・（１）
ここで、Ｙ：ＳＶ値
ｆ（ａ,ｂ）：ａ、ｂを変数とする関数
ｆｏ：モールド振動の周波数（Ｈｚ）
ｔ：時間
ΔＨ：湯面の測定値と設定値の偏差
【００２１】
湯面変動にモールド３を追従させることは、モールド基準系から見ると、メニスカスとモールド３との相対位置が変動しないようにすることを意味している。そして、メニスカスとモールド３との相対位置を変動させないことは、初期凝固位置がモールドに対して変動しないことを意味している。この初期凝固位置が相対的に変動しないことは、安定的な初期凝固部を維持してパウダを安定供給するために重要な意義を有する。以下、この点を、図３と図４に基づいて詳細に説明する。
【００２２】
パウダは、図３に示すように、溶鋼２３上に粉末層２５、半溶融層２７、溶融層２９となって存在する。また、初期凝固部は、図３に示すように、スラグリム３１、パウダ固着層３３、パウダ流動層３５、凝固シェル３７等を含めて複雑な状態を形成している。この状態が安定に維持されることで、溶鋼とモールド３の界面に安定的に溶融層２９のパウダを供給することができる。しかし、湯面変動が起きれば、このような安定した状態（相対的位置関係）が崩れ、パウダの供給不足や過剰供給、スラグの溶鋼への巻込みを誘発し、また、溶鋼の接触するモールド温度が急変し、凝固状況も大きく変動することになる。
【００２３】
実際、モールド３の温度分布は、図４に示すように、安定状態においても湯面近傍で急激に変化する。したがって、通常の振動範囲以上に初期凝固位置がずれれば、溶鋼の接触するモールド３の温度が急変するため、凝固状況も大きく変動し、安定的な初期凝固部を維持することができなくなる。逆に、モールド３と湯面の相対位置を変動させないことが安定的な初期凝固状態を維持することになる。つまり、湯面変動にモールド３の基準位置を追従させることによって初期凝固位置を変動させないことで、初期凝固部の安定状態を維持でき、かつ溶鋼とモールド３の界面に安定的にパウダを供給することができる。
【００２４】
上記のように、湯面変動にモールド３の基準位置を追従させることによって安定的な初期凝固を維持したり、パウダ安定供給を実現できるという大きな効果がある。しかし、湯面変動にモールドを追従させることは、モールド基準系から見ると、鋳片引抜き速度のみが（モールド位置変更速度に応じて）変化することを意味し、鋳片引抜き速度への影響が懸念される。そこで、以下においては、モールド基準位置の変更の引抜き速度への影響について検討を行った。
【００２５】
モールド基準位置の変更の引抜き速度への影響の検討方法として、オシレーションによる振動もモールド基準系から見ると、鋳片引抜き速度の変化となることから、これと比較することとした。
まず、オシレーションの振動速度を求めた。オシレーションは正弦波を想定した。正弦波振動の振動速度は式（２）で求まる。ここで、Ｖは振動速度、ｒは片振幅、ｆは振動数を表す。
Ｖ＝ｒ×２π×ｆ  ・・・（２）
式（２）に基づいて、オシレーションの振動速度は式（３）として求めることができる。
Ｖｏ＝ｒｏ×２π×ｆｏ＝１００mm/s＝６mpm  ・・・（３）
ここで、Ｖｏ：オシレーションの振動速度
ｒｏ：オシレーションの片振幅
ｆｏ：オシレーションの振動数
また、ｆｏ＝４（Hz）、ｒｏ＝４（mm）とした。
【００２６】
振動しているモールド基準系から見れば、上記のＶｏ＝６mpm速度で、相対的引抜き速度が変動することを意味する。
【００２７】
次に、湯面変動の例としてバルジング性湯面変動を例に挙げ、この湯面変動にモールド基準位置を追従させる振動速度を求めた。
【００２８】
この場合、モールド基準位置の振動速度は、バルジング性湯面変動の湯面変動速度と同じであるところ、バルジングによる湯面変動速度は式（２）に基づいて、式（４）から求めた。
Ｖｂ＝ｒｂ×２π×ｆｂ＝３．１mm/s＝０．１９mpm・・・（４）
ここで、Ｖｂ：バルジングによる湯面変動速度
ｒｂ：バルジングによる湯面変動片振幅
ｆｂ：バルジング周波数
また、ｆｂ＝０．１（Hz）、ｒｂ＝５（mm）とした。
【００２９】
式（３）と式（４）に示されるように、オシレーションの振動速度は、バルジング性湯面変動よりも桁違いに早い速度であることがわかる。したがって、オシレーションによる鋳造速度への影響よりも、バルジング性湯面変動にモールドを追従させた場合の影響は小さく、ほとんど無視できる程度である。
【００３０】
次に、上記のように構成された本実施の形態の連続鋳造機で行っている制御の流れを図５に基づいて説明する。図５は制御の流れを、矢印を交えて図示化したものである。
【００３１】
本実施の形態の連続鋳造機で行っているモールド湯面レベル制御方法は、モールド振動制御とスライディングノズル制御の２つに大別することができる。
【００３２】
モールド振動制御は、連続鋳造機におけるモールド３内湯面レベルを計測し、該計測値の設定値に対する偏差に基づいてモールド３の振動基準位置を変更し、該振動基準位置が湯面変動に追従するようにしている。以下、具体的に説明する。
【００３３】
モールド振動制御器１１にはあらかじめオシレーションさせるための振動基準位置を中心とした基本的な振動波形が設定されている（図２（ａ）参照）。モールド３を湯面変動に追従させるために、まず、湯面レベル計１６から取得した湯面の測定値と湯面設定値の偏差（図２（ｂ）参照）に基づいて、前記の振動基準位置を補正する。この補正された振動基準位置を中心に振動波形が合成されてモールド位置の指示値となる（ＳＶ値）（図２（ｃ）参照）。
次に、このＳＶ値に対して、モールド位置レベル計１３からフィードバックされた実際のモールド位置（ＰＶ値）を比較し、誤差分を第１サーボ弁１５で修正することで、モールド位置制御用シリンダ９を稼働させてモールド位置を所定の位置に制御することで、湯面に対して定常的なオシレーションを維持する。
【００３４】
次にスライディングノズル制御の流れについて説明する。スライディングノズル制御は、湯面レベル計１６による湯面測定値と湯面設定置の偏差に基づいてスライディングノズル７の開度を調節し前記湯面レベルを制御するものである。以下、具体的に説明する。
【００３５】
湯面レベル制御器１７には、あらかじめ湯面設定値（ＳＶ値）が設定されている。この湯面設定値と、湯面レベル計１６からフィードバックされた実際の湯面レベル（ＰＶ値）に基づいて偏差を計算する。湯面レベル制御器１７は、この偏差に基づいて第２サーボ弁２１が制御され、第２サーボ弁２１によってスライディングノズル７の開度が調整される。スライディングノズル７の開度調製によってモールド３への溶鋼注入量が制御され、湯面レベル制御が行われ、さらにフィードバックされる。
【００３６】
以上のように、本実施の形態においては、モールド３が湯面レベルに追従しながらオシレーションを行うと共にスライディングノズルによる湯面レベル制御が行われ、両方の制御が連携し合ってモールド位置と湯面レベルとの相対的一致を実現している。
これによって、メニスカスとモールド３との相対位置が変動せず、モールド３における初期凝固位置を維持することができ、安定的な初期凝固部を維持して、パウダの供給不足や過剰供給、またスラグの溶鋼への巻込みを防止して、パウダの安定供給を実現できるという効果を奏している。
【００３７】
また、本実施の形態におけるモールド湯面制御装置を実現するには、既存のモールド振動制御器のＳＶ値作成ロジックを変更するだけでよく、既存のモールド振動制御器や、モールド３をオシレーションさせるためのアクチュエータ、湯面レベル計１６等はそのまま使用することができる。このため、装置のコストを低減できるという効果もある。
【００３８】
なお、上記の本実施の形態においては、オシレーションを行う装置として、油圧を用いたモールド位置制御用シリンダ９を例に挙げたが、本発明が適用できるオシレーション装置は上記のものに限られるものではなく、上記のように油圧を利用した油圧シリンダによるものでなくとも、オシレーションを与えられるようなものであれば、例えば電動シリンダや、レバー式振動装置を用いたものであってもよい。
【００３９】
なお、本実施の形態において湯面レベル制御の対象としているのは、湯面の平均レベルが変動するような上記のバルジング性湯面変動、スライディングノズルへの付着物によるスライディングノズル閉塞等に起因する湯面変動等である。
そのため、湯面の平均レベルは変わらないが、湯面の場所によって高さが変わる湯面波立ちは、本実施の形態の制御においては制御上の悪影響を及ぼす外乱信号として残る危険がある。
そこで、湯面レベル計１６に高周波フィルターを設置し、例えば1Hz程度以上の振動を除去することにより、当該外乱信号を取り除くようにしてもよい。
また、この高周波フィルターは湯面レベル計１６ではなく、外乱信号を除去できるように設置できればどこでもよく、モールド振動制御器１１内に設置してもよいし、または第１サーボ弁１５へのモールド位置制御信号出力後に外乱信号を除去するように別途設置してもよい。
また、物理的に直接湯面変動を抑えるようにダンパーを設置してもよい。
【実施例】
【００４０】
本発明を適用して、連続鋳造機のモールド湯面制御を行ったのでその結果を図６に示す。図６のグラフは、横軸に湯面制御の手法、縦軸に欠陥指数を表している。
図６（ａ）、図６（ｂ）は従来手法のみで湯面制御を行った場合、図６（ａ）はＰＩＤ湯面制御のみで湯面制御を行った場合、図６（ｂ）はＨ∞湯面制御のみで湯面制御を行った場合をそれぞれ示している。
また、図６（ｃ）はＰＩＤ湯面制御と本発明のモールド振動制御を併用して湯面制御を行った場合、図６（ｄ）はＨ∞湯面制御と本発明のモールド振動制御を併用して湯面制御を行った場合をそれぞれ示している。
図６（ａ）〜図６（ｄ）における欠陥指数は図６（ａ）を基準として示している。
図６（ａ）と図６（ｃ）、図６（ｂ）と図６（ｄ）をそれぞれ比較すると、本発明を適用することによって、同様の手法の制御を行う従来例に比較して欠陥が半分以下になることが分かる。
このように、本発明はＰＩＤ湯面制御及びＨ∞湯面制御のいずれの制御方法に対しても適用可能であり、欠陥防止の効果が高いことが明らかになった。
【符号の説明】
【００４１】
１  タンディッシュ
３  モールド
５  浸漬ノズル
７  スライディングノズル
９  モールド位置制御用シリンダ
１０  モールド湯面レベル制御装置
１１  モールド振動制御器
１３  モールド位置レベル計
１５  第１サーボ弁
１６  湯面レベル計
１７  湯面レベル制御器
１９  スライディングノズル用油圧シリンダ
２１  第２サーボ弁
２３  溶鋼
２５  粉末層
２７  半溶融層
２９  溶融層
３１  スラグリム
３３  パウダ固着層
３５  パウダ流動層
３７  凝固シェル
【図１】
0005777482.tif 000002
【図２】
0005777482.tif 000003
【図５】
0005777482.tif 000004
【図３】
0005777482.tif 000005
【図４】
0005777482.tif 000006
【図６】
0005777482.tif 000007